(57)【要約】      （修正有）【課題】電車等の公共交通機関の座席に腰掛けた際、座席シートもしくは自身の膝上で、安定保持するための傘布部を狭持する補助用具を提供する。【解決手段】雨傘の手元の機能のうち、携行機能に特化した補助用具であり、雨傘の傘布部を狭持する狭持部とハンドル部から構成される。狭持部材・連結凸部・指当て部・貫通孔・ハンドル部、狭持部材・連結凹部・指当て部・貫通孔をそれぞれ備えた二つの狭持部を合体させるため、連結凸部６−１と連結凹部６−２を噛ませ、二本のバネをそれぞれの二つの貫通孔１１−１、１１−２に貫通させて両端を固定することにより、指で二つの指当て部を掴み、力を加え又は緩める動作により、二つの狭持部を開閉し、雨傘の布部を狭持する。【選択図】図１
0003208508.tif 000002
【実用新案登録請求の範囲】
【請求項１】
二つの狭持部等を合体させるため、まず連結凸部と連結凹部を噛ませ、バネを二つの貫通孔に貫通させ、指で二つの指当て部を掴み、力を加える動作により二つの狭持部の間が開いて、合体した狭持部等を雨傘本体の石突から通して雨傘の傘布部を狭持できることを特徴とする雨傘の保持携行用具
【請求項２】
指当て部の片方とネジ止め連結し、かつ雨傘の狭持部等と角度が変えられるハンドル部を有することを特徴とする請求項１の雨傘の保持携行用具
【請求項３】
ハンドル部に被せるハンドルカバーに、くさび形状の先端部と、握りやすく指の架けやすい形状を兼ね備えたことを特徴とする請求項１の雨傘の保持携行用具
【請求項４】
ハンドル部に被せるハンドルカバーに、滑りにくい素材のラバーまたはシリコンを使用したことを特徴とする請求項１の雨傘の保持携行用具
【請求項５】
二つの狭持部の外側面に、各々縦１列２個の小型磁石を装着させたことを特徴とする請求項１の雨傘の保持携行用具
【請求項６】
二つの狭持部の内側面に、各々吸水素材を装着させたことを特徴とする請求項１の雨傘の保持携行用具
【考案の詳細な説明】
【技術分野】
【０００１】  本考案は、不使用時の雨傘（折り畳み用雨傘を除く。以降省略）を安定・安全に保持携行する用具に関する。
【背景技術】
【０００２】  従来の雨傘は、不使用時に携行する際、雨傘の手元を持つため、人によっては上方に持ち上げるか、雨傘の傘布部を掴んで横持ちをしていた。【０００３】  従来の雨傘は、手元以外の保持携行する補助用具がなかった。【０００４】  従来の雨傘の手元は、必ずしも万人が手に持ちやすく、またバック等他の物に架けやすいものではなかった。【０００５】  従来の雨傘は、電車等の公共交通機関の座席に腰掛けた際、座席シートもしくは自身の膝上で、安定保持するものではなかった。【０００６】  従来の雨傘は、電車等の公共交通機関の座席に腰掛けた際、雨傘を架けることが出来ない金属ポール等の場合、磁力で固定保持する機能がなかった。【０００７】  従来の雨傘は、人が混み合う電車等の公共交通機関及び屋内に入る際、濡れている雨傘の水滴が自己または他人の衣服等に付着する心配があった。
【考案の概要】
【考案が解決しようとする課題】
【０００８】  従来の雨傘には、傘布部を狭持する補助用具がなかった。【０００９】  不使用時に歩行中の雨傘の携行、または電車等の公共交通機関の座席に腰掛けた際の携行のいずれの場合にも補助用具がなかった。【００１０】  従来の雨傘には、手元とは別の、利便性に優れた補助用具がなかった。【００１１】  従来の雨傘には、手元とは別の、滑りにくい素材の補助用具がなかった。【００１２】  電車等の公共交通機関で座席に腰掛けた際、直近に金属ポールがあっても、雨傘を磁力で固定保持する補助用具がなかった。【００１３】  降雨中の使用後に電車等または屋内に入る際、雨傘の傘布部に付着していた水滴を除去できる補助用具がなかった。
【課題を解決するための手段】
【００１４】  上記目的を達成するため、雨傘を携行する手段として、傘布部を狭持して携行できる補助用具を考案したものである。【００１５】  歩行中に雨傘を携行する際に従来の元手とは別に、手で掴め、指が架けられ、または腰バンド、バック等の間隙に差し込めるハンドルを考案し、ボルト・ナットで本考案本体の指当て部にネジ止めをした。なお、雨傘の使用時には、ハンドルを内側に曲げることで、本考案本体がコンパクトになる。【００１６】  本考案本体の二つの狭持部の外側面に、各々縦１列２個の小型磁石を装着させることにより、電車等の公共交通機関の座席に腰掛けた際、直近に金属ポールがあった場合、磁力により雨傘の固定保持が可能となる。【００１７】  本考案本体の二つの狭持部の内側面に、各々吸水素材を装着させることにより、人が混み合う電車等の公共交通機関及び屋内に入る際、二つの指当て部を指で掴み力を加えることで、狭持部が半開き状態となり、そのまま上下に移動させことで、傘布部に付着していた水滴を二つの吸水素材で除去することが可能となり、自己または他人の衣服等に水滴が付着することが防止できる。
【考案の効果】
【００１８】  従来の雨傘の手元以外に、雨傘の傘布部を狭持して携行する機能の補助用具を開発したことにより、雨傘が携行しやすくなる。【００１９】  歩行時に雨傘の手元を掴まず、傘布部を二つの狭持部で挟んで固定し、それと連結したハンドル部を掴むかまたは指を架けたりして、バランス良い状態で雨傘を携行することが可能となる。また雨傘の横持ちがなくなり、他人への危険性が少なくなる。【００２０】  ハンドルカバーは、手に馴染み易い形状にし、ハンドルカバーの先は、くさび形状となっているため、腰バンド及びバック等に掛けることが可能となる。【００２１】  電車等の座席に腰掛けた際には、ハンドルカバーがラバーもしくはシリコン等滑りにくい素材であるため、座席シート上または自身の膝上に載せても雨傘を安定保持することが可能となる。【００２２】  座席直近に金属ポールが設置されていれば、本考案本体の二つの狭持部に固定されている小型磁石により、雨傘の固定保持が可能となる。【００２３】  本考案本体の二つの狭持部内側には、各々吸水素材が装着していることから、降雨持の使用後に電車等及び屋内に入る際、予め傘布部に付着した水滴の除去が可能となり、自己または他人の衣服等へ付着防止に役立ち、マナーの向上が図られる。
【図面の簡単な説明】
【００２４】
【図１】  本考案の基本形を斜視図
【図２】  本考案の基本形を示す正面図
【図３】  本考案の狭持部を開いた状態を示す正面図
【図４】  本考案の基本形の使用例を示す側面図
【図５】  本考案のハンドル部を概ね直角に変えた使用例を示す側面図
【考案を実施するための形態】
以下、本考案の実施の形態を図１〜図３に基づいて説明する。
【００２５】  本考案は、
（１）狭持部Ａ１−１、連結凸部６−１、指当て部Ａ２−１
（２）狭持部Ｂ１−２、連結凹部６−２、指当て部Ｂ２−２
（３）バネ４
（４）ハンドル部７（ハンドル切れ込み部１２）
（５）ハンドルカバー８
（６）ナット部９
（７）ボルト部１０
（８）吸水素材Ａ３−１
（９）吸水素材Ｂ３−２
の９個の部品で構成される。
【００２６】  図２の基本形を完成させるには、最初に（１）と（２）の部品を結合させるため、まず連結凸部６−１と連結凹部６−２を噛ませ、バネ４を貫通孔Ａ１１−１と貫通孔Ｂ１１−２に貫通させる。
【００２７】  くさび形状の先端部と反対側のハンドル切れ込み部１２を、指当て部Ａ２−１に差し込み、ナット部９とボルト部１０を用いて、指当て部Ａ２−１にネジ止めをする。
【００２８】  ハンドルカバー８は、ハンドル部７を包み込むように装着させる。
【００２９】  吸水素材Ａ３−１を狭持部Ａ１−１の内側部に、吸水素材Ｂ３−２を狭持部Ｂ１−２の内側部に各々に装着させる。
【００３０】  小型磁石Ａ５−１を狭持部Ａ１−１の外側部に、小型磁石Ｂ５−２を狭持部Ｂ１−２の外側側部の中央部に装着させる。
【００３１】  図２の基本形の指当て部Ａ２−１と指当て部Ｂ２−２を指で掴み力を加える動作により、図３に示すように狭持部Ａ１−１と狭持部Ｂ１−２の間が開く。指の力を緩めば、図２の基本形に戻る。
【実施例】
【実施例１】
【００３２】  図４が、雨布部Ｒ１を狭持した二つの狭持部とハンドル部７（ハンドルカバー８）が概ね平行にネジ止め調節した状態の基本の使用例である。
【実施例２】
【００３３】  図５が、雨布Ｒ１を狭持した狭持部とハンドル部７（ハンドルカバー８）が、概ね直角にネジ止め調節した状態の使用例である。
【産業上の利用可能性】
【００３４】  本考案は、利便性と斬新さから十分な需要が期待でき、世代別・性別・趣向別に多種の製品化が見込まれる。【００３５】  本考案の出現により、従来の手元形状の雨傘から傘差し機能のみに特化したデザインの新たな雨傘の製品化の需要が見込まれ、本考案とタイアップした雨傘製造販売業界の活性化が図られる。【００３６】  本考案の吸水機能により、電車等の雨傘の持ち込みは勿論のこと、デパート等の屋内に入る際の雨傘専用のビニール袋の需要が減少し、エコ環境の促進に貢献する。
【符号の説明】
【００３７】    Ｒ１      傘布部
Ｒ２      手元
１−１    狭持部材Ａ
１−２    狭持部材Ｂ
２−１    指当て部Ａ
２−２    指当て部Ｂ
３−１    吸水素材Ａ
３−２    吸水素材Ｂ
４        バネ
５−１    小型磁石Ａ
５−２    小型磁石Ｂ
６−１    連結部凸部
６−２    連結部凹部
７        ハンドル部
８        ハンドルカバー
９        ナット部
１０      ボルト部
１１−１  貫通孔Ａ
１１−２  貫通孔Ｂ
１２      ハンドル切れ込み部
１３      石突
【図１】
0003208508.tif 000003
【図２】
0003208508.tif 000004
【図３】
0003208508.tif 000005
【図４】
0003208508.tif 000006
【図５】
0003208508.tif 000007
【手続補正書】
【提出日】平成28年10月28日(2016.10.28)
【手続補正１】
【補正対象書類名】実用新案登録請求の範囲
【補正対象項目名】全文
【補正方法】変更
【補正の内容】
【実用新案登録請求の範囲】
【請求項１】
狭持部材・連結凸部・指当て部・貫通孔・ハンドル部、狭持部材・連結凹部・指当て部・貫通孔をそれぞれ備えた二つの狭持部を合体させるため、まず連結凸部と連結凹部を噛ませ、二本のバネをそれぞれの二つの貫通孔に貫通させて両端を固定させることにより、指で二つの指当て部を掴み、力を加え又は緩める動作により、二つの狭持部の開閉が可能となり、雨傘の布部を狭持できることを特徴とする雨傘の保持携行用具
【請求項２】
狭持部材・連結凸部・指当て部・貫通孔・ハンドル部を備えた狭持部のうちハンドル部が、ナット部とボルト部によりハンドル切れ込み部で、指当て部とネジ止め連結され、かつ角度が変えられることを特徴とする請求項１の雨傘の保持携行用具
【請求項３】
ハンドル部に被せるハンドルカバーに、くさび形状の先端部と、握りやすく指の架けやすい形状を兼ね備えたことを特徴とする請求項１の雨傘の保持携行用具
【請求項４】
ハンドル部に被せるハンドルカバーに、滑りにくい素材のラバーまたはシリコーンを使用したことを特徴とする請求項１の雨傘の保持携行用具
【請求項５】
二つの狭持部材の外側面に、各々縦１列２個の小型磁石を装着させたことを特徴とする請求項１の雨傘の保持携行用具
【請求項６】
二つの狭持部材の内側面に、各々吸水素材を装着させたことを特徴とする請求項１の雨傘の保持携行用具